(57)【特許請求の範囲】
【請求項１】
摘んで持つことが可能なつまみ部と、同時に複数の楊枝をつまみ部に取り付けるための保持部とからなり、該保持部が楊枝ホルダー本体の側面に楊枝を添えるための溝を形成し前記楊枝を押さえつけるための押さえ部を設けたことを特徴とする楊枝ホルダー。
【請求項２】
摘んで持つことが可能なつまみ部と、同時に複数の楊枝をつまみ部に取り付けるための保持部とからなり、該保持部が、弾性体によって形成された筒状体の一部を切り欠いたもので構成され、前記筒状体が楊枝の挿入によって押し広げられたことの復元力によって楊枝を保持することを特徴とする楊枝ホルダー。
【請求項３】
摘んで持つことが可能なつまみ部と、同時に複数の楊枝をつまみ部に取り付けるための保持部とからなり、該保持部を弾性体によって形成された楊枝ホルダー本体の一部に楊枝挿入用の挿入穴を設けて該挿入穴側壁の一部を切り欠いたものとし、前記挿入穴が楊枝の挿入によって押し広げられたことの復元力によって楊枝を保持することを特徴とする楊枝ホルダー。
【請求項４】
摘んで持つことが可能なつまみ部と、同時に複数の楊枝をつまみ部に取り付けるための保持部とからなり、該保持部を弾性を有する板状体を折り曲げることで形成し、前記板状体を折り曲げることで向かい合った面どうしによって楊枝を狭持することを特徴とする楊枝ホルダー。
【請求項５】
摘んで持つことが可能なつまみ部と同時に複数の楊枝をつまみ部に取り付けるための保持部とからなる楊枝ホルダーであって、保持された複数の楊枝が相互に形成する保持角度が先端方向に開いた角度とする請求項１と２と３と４のいずれかに記載した楊枝ホルダー。
【請求項６】
請求項１と２と３と４と５のいずれかに記載した楊枝ホルダーの複数個と、複数本の楊枝とを組み合わせて一つに包装し、組み物とした楊枝ホルダーセット。
【発明の詳細な説明】
【０００１】
【発明が属する技術分野】
複数本の楊枝を一体化して食物に刺さるようにするための楊枝ホルダーに関するものである。
【０００２】
【従来の技術】
従来、楊枝は、果物や、オードブル等の小片を食するのに便利な用具であって、価格が安く使い捨てに出来ることから、不特定多数の客に大皿にて供する場合等において特に有効な用具である。しかし、針状の細い構造であることから、食物を確実に保持することが困難であって、柔らかな食品や大きくて重量のある食物、あるいは、滑りやすい食物等に対しては、楊枝から抜け落ちて使いにくいという欠点を併せ持っていた。
【０００３】
【特許文献１】
実開昭６１−１３４３７７
上記楊枝の欠点を補うものが実開昭６１−１３４３７７に示された考案であり、当該考案は複数の楊枝をホルダが把持することでフォークのように使用するものである。当該考案は「指先で摘み得る把持体であって、先端部に少なくとも２本の楊枝の基部を挿入するための挿入孔あるいは挿入溝を設けたことを特徴とする楊枝ホルダ」であって、予備の楊枝を収納するための収納部を設けることや把持体に指を添えるための滑り止めを形成することが請求項に記載されている。
【０００４】
実開昭６１−１３４３７７に示された考案には「把持体の材料については合成樹脂以外にも、木製あるいはセラミックとする」とあり、硬質の素材によって形成されることがうかがわれるのであるが、その把持手段として「合成樹脂からなる把持体１の先端に、楊枝２の基部を差し込むための平行な２本の挿入孔（挿入溝）が設けられている」と明細書中に記されているのみで、把持のための係止力をいかに得るかについて記されていない。又、図からも判断できない。
【０００５】
以上のことから、実開昭６１−１３４３７７に示された考案における把持のための係止力は、孔を楊枝の太さよりも極めてわずか細めに形成し、楊枝を挿入孔に挿入した際に当該、楊枝の持つ弾力により孔の側壁圧着することによる摩擦抵抗によって係止すること以外に考えられない。この場合、太さの異なる楊枝に対しては把持困難であり、挿入孔内部で楊枝が折れてしまった場合にはその排除が極めて困難である。太さが若干異なるそれぞれの楊枝にも対応でき、楊枝が保持部の内部で折れてしまったような場合にもその排除が容易であり、安価に製造でき、食品の保持が確実にできる使い勝手のよい楊枝ホルダーが望まれる。
【０００６】
【発明が解決しようとする課題】
安価に製造でき、食品の保持が確実にできる使い勝手のよい楊枝ホルダー及び楊枝ホルダーセットを供すること。
【０００７】
【課題を解決するための手段】
摘んで持つことが可能なつまみ部と、同時に複数の楊枝をつまみ部に取り付けるための保持部とからなり、該保持部が楊枝ホルダー本体の側面に楊枝を添えるための溝を形成し前記楊枝を押さえつけるための押さえ部を設けたことを特徴とする楊枝ホルダーを供する。
【０００８】
摘んで持つことが可能なつまみ部と、同時に複数の楊枝をつまみ部に取り付けるための保持部とからなり、該保持部が、弾性体によって形成された筒状体の一部を切り欠いたもので構成され、前記筒状体が楊枝の挿入によって押し広げられたことの復元力によって楊枝を保持することを特徴とする楊枝ホルダーを供する。
【０００９】
摘んで持つことが可能なつまみ部と、同時に複数の楊枝をつまみ部に取り付けるための保持部とからなり、該保持部を弾性体によって形成された楊枝ホルダー本体の一部に楊枝挿入用の挿入穴を設けて該挿入穴側壁の一部を切り欠いたものとし、前記挿入穴が楊枝の挿入によって押し広げられたことの復元力によって楊枝を保持することを特徴とする楊枝ホルダー供する。
【００１０】
摘んで持つことが可能なつまみ部と、同時に複数の楊枝をつまみ部に取り付けるための保持部とからなり、該保持部を弾性を有する板状体を折り曲げることで形成し、前記板状体を折り曲げることで向かい合った面どうしによって楊枝を狭持することを特徴とする楊枝ホルダーを供する。
【００１１】
摘んで持つことが可能なつまみ部と同時に複数の楊枝をつまみ部に取り付けるための保持部とからなる楊枝ホルダーであって、保持された複数の楊枝が相互に形成する保持角度が先端方向に開いた角度とする請求項１と２と３と４のいずれかに記載した楊枝ホルダーを供する。
【００１２】
請求項１と２と３と４と５のいずれかに記載した楊枝ホルダーの複数個と、複数本の楊枝とを組み合わせて一つに包装し、組み物とした楊枝ホルダーセットを供する。
【００１３】
【発明の実施の形態】
発明の実施の形態について図を用いて説明する。
図１は実施例１の斜視図である。楊枝ホルダー１の胴部に複数の楊枝６を押さえつけて固定するための押さえ部３を設けて保持部１２とする。弾性素材によって楊枝６を包み込む形状に押さえ部３を形成することで加圧手段４とする。押さえ部３の上部に当たる楊枝ホルダー１本体の一部を突起させ、頭固定部５とする。ここで言う加圧手段４とは、楊枝を押さえて固定する力を生じさせ、かつ固定する力を緩めることを可能とする手段を指す。
【００１４】
複数の楊枝６を一つの楊枝ホルダー１に取り付け、フォーク状になった楊枝ホルダー１のつまみ部１１を摘み持ち、食物に刺して使用する。楊枝６を複数同時に食物に刺して使用することができるようになることから、柔らかな素材の食物や、大きくて重量のある食物を安定した状態で保持することが可能となる。太さが若干異なる数種類の楊枝にも対応でき、安価に製造でき、食品の保持が確実にできる使い勝手のよい楊枝ホルダー１が実現できる。又、破損した楊枝６が、押さえ部内に残されてしまった場合には楊枝ホルダ１本体と押さえ部３の隙間から他の楊枝等で押し下げて取り外す。押さえ部に弾力があることから容易に取り外すことができる。
【００１５】
図２は実施例２の斜視図である。楊枝ホルダー１の胴部に複数の溝２と、溝２と同数の押さえ部３を設けて保持部１２として楊枝ホルダー１を構成する。押さえ部３によって、溝２に添えた楊枝６を狭持できるようにする。弾性素材によって板状の押さえ部３を形成することで加圧手段４とし、押さえ部３は湾曲して楊枝６を包むように押さえ込む。溝２の最上端部であって楊枝６の頭部に接する部分とつまみ部１１の側壁との内角を直角程度に形成して頭固定部５とする。本図ではつまみ部１１を、円錐台形を側面から押しつぶして扁平にした形状にしてあるが、摘みやすければ形状は問わない。
【００１６】
実施上の具体策として、摘んで持つことが可能なつまみ部１１と、楊枝６をつまみ部に取り付けるための保持部１２とからなり、楊枝６の保持角度を保持された複数の楊枝が相互に形成する保持角度が先端方向に開いた角度とする保持部１２を設け、保持できる楊枝６数を複数とし、必要に応じ楊枝６の本数を任意の数に設定可能とした楊枝ホルダー１を供する。このことにより、楊枝６を食物中に差し込むと異なる侵入角を持って直進した複数の楊枝６の先端どうしは食物への当初差し込み口よりも食物内部において開いた状態になり、複数の楊枝６の先端どうしは、押さえ部３及び楊枝６の持つ弾力により元の位置関係に復元しようとして食物を強く挟み込み、摩擦抵抗を強める。以上により楊枝ホルダー１に保持された楊枝６は食物に対する強い保持力を発揮する。前記具体策の実施上の更なる具体策として錐状のつまみ部の側面に複数の溝２を形成し、溝２に楊枝６を嵌合あるいは添えて、押さえ部３によって押さえることで楊枝６を保持する楊枝ホルダー１を供する。、
【００１７】
図３は実施例３の斜視図である。実施例１に於ける押さえ部３を本体と分離した筒状の押さえ部３１に置きかえたものである。溝２に嵌合させた楊枝の上から筒状の押さえ部３１をかぶせることや、筒状の押さえ部３１に楊枝を取り付けておいて楊枝ホルダー１の本体にかぶせることで加圧手段４とする。実施例１と効果に大きな違いはないが、構造を単純にすることができる。又、楊枝ホルダー１側面に溝２を形成する場合、並列的に連続して形成できることから、一定の太さの保持部１２に対して施す溝２の数を最大限に増やせるという効果を生じる。つまり、保持する楊枝６の数を最大限に増やすことが可能となる。
【００１８】
図４は実施例４の斜視図である。本実施例はパイプ状体の中央部をそぎ落として両端にパイプ状態を残し、中央で二つ折りにして中央部をつまみ部１１、両端部を保持部１２としたものである。実施例１が押さえ部３により楊枝６を保持したのに対し、本実施例では筒状体３２の一部を切り欠いて割れ目７を形成し、楊枝６を筒状体３２に挿入したときに生じる弾力で楊枝を押さえることで筒状体３２を押さえ部３とし、同時に加圧手段４とする。筒状体３２に楊枝６を挿入して保持し、筒状体の上部に突起物を設けて突起物による頭固定部５１とする。基本的な構成が単純であるため、極めて容易に製造できる。この他、棒状のつまみ部１１の先端あるいは胴部に複数の筒状体３２を接合し、筒状体３２の一部を切り欠いて割れ目７を形成しても同様の効果が得られる。
【００１９】
図５は実施例５の斜視図であり、楊枝ホルダー１本体の内部に、先端から胴部に向かって挿入穴２１をあけ、挿入穴２１の側壁を一部切り欠いて割れ目７を形成したものである。つまみ部１１は弾性体で形成され、挿入穴２１に楊枝６が挿入されると割れ目７があることから挿入穴２１は押し広げられ、元の形状を復元しようとして楊枝６を加圧する。単純な構成であることから、全体の形状をすっきりしたものにでき、収納にあたってはかさばらない。
【００２０】
図６は実施例６の斜視図であり、棒状のつまみ部１１と、多数の筒状体３２から成る保持部１２より構成される。筒状体３２に挿入された楊枝は、筒状体３２を切り欠いて割れ目７を形成したことで得られる弾力を加圧手段４とし、筒状体３２によって保持される。つまみ部１１に鍔状に設けた頭固定部５によって頭部が押さえられることで楊枝が安定する。多くの楊枝を使うことで軟弱な材質の食料、例えば冷や奴のような食料を崩さずに保持及び移動することができる。
【００２１】
本図では筒状体３２を６個配した例を示しているが、この場合、必要に応じ２本〜６本の間で楊枝の本数を変えても、バランスのとれた配置にできることから、必要に応じた本数の楊枝を適宜、その都度使い分けることができる。他の実施例に於いても楊枝の数を増やして同様の効果を得ることが出来る。
【００２２】
図７は実施例７の斜視図である。加圧手段４を、弾性を有する板状体１３を折り曲げたこととし、当該折り曲げることで向かい合った面どうしによって楊枝を狭持することで保持部１２を構成した楊枝ホルダーの例である。板を折り曲げて二枚合わせにすることで基本形が形成されることから構造が単純で製造しやすい。形状が単純であることから収納もしやすい。
【００２３】
更に、実施上の具体策として、２枚合わせになった板状体１３の、折り曲げ位置とは反対側の先端部を縦方向に切断して切断部１４とし、切断部１４によって切り分けられた二枚合わせの部位のそれぞれを保持部１２とし、保持部１２を構成する２枚の板状体の内の少なくとも一枚に溝２等の係止手段を配する。合わせられた板状体１３の内面に、溝２が終わること等による頭固定部５を設ける。以上により、単純な構成の楊枝ホルダーで複数本の楊枝の保持が確実にできるようになる。
【００２４】
図８は実施例８の斜視図であり、複数本の楊枝６と複数個の楊枝ホルダー１を組み合わせて一つに包装し、組み物とした楊枝ホルダーセットを表している。一つの容器８をしきり８１によって区分けし、区分けされたそれぞれに複数の楊枝６と複数の楊枝ホルダー１を入れ、組み物とする。使用する人数分の楊枝ホルダー１に、使用する対象物である食物の性質を考慮して本数を決定した複数の楊枝６を装着して使用する。セットになっていることで、オードブルや冷や奴等、様々な堅さ加減やもろさの加減あるいは滑りやすさなど、様々な状況にその場で対応でき、使い勝手もよく、重宝に使うことができる。
【００２５】
【発明の効果】
本発明は摘んで持つことが可能なつまみ部と、同時に複数の楊枝をつまみ部に取り付けるための保持部とからなり、該保持部が楊枝ホルダー本体の側面に楊枝を添えるための溝を形成し前記楊枝を押さえつけるための押さえ部を設けたことを特徴とする楊枝ホルダーであるため、次の効果を奏する。
【００２６】
単純な構成によって確実に楊枝が保持できる。
【００２７】
摘んで持つことが可能なつまみ部と、同時に複数の楊枝をつまみ部に取り付けるための保持部とからなり、該保持部が、弾性体によって形成された筒状体の一部を切り欠いたもので構成され、前記筒状体が楊枝の挿入によって押し広げられたことの復元力によって楊枝を保持することを特徴とする楊枝ホルダであるため、次の効果を奏する。
【００２８】
単純な構成によって確実に楊枝が保持できる。
【００２９】
摘んで持つことが可能なつまみ部と、同時に複数の楊枝をつまみ部に取り付けるための保持部とからなり、該保持部を弾性体によって形成された楊枝ホルダー本体の一部に楊枝挿入用の挿入穴を設けて該挿入穴側壁の一部を切り欠いたものとし、前記挿入穴が楊枝の挿入によって押し広げられたことの復元力によって楊枝を保持することを特徴とする楊枝ホルダーであるため、次の効果を奏する。
【００３０】
単純な構成によって確実に楊枝が保持できる。
【００３１】
摘んで持つことが可能なつまみ部と、同時に複数の楊枝をつまみ部に取り付けるための保持部とからなり、該保持部を弾性を有する板状体を折り曲げることで形成し、前記板状体を折り曲げることで向かい合った面どうしによって楊枝を狭持することを特徴とする楊枝ホルダーであるため、次の効果を奏する。
【００３２】
板を折り曲げて二枚合わせにすることで基本形が形成されることから構造が単純で製造しやすい。形状が板状であることから収納もしやすい。
【００３３】
摘んで持つことが可能なつまみ部と同時に複数の楊枝をつまみ部に取り付けるための保持部とからなる楊枝ホルダーであって、保持された複数の楊枝が相互に形成する保持角度が先端方向に開いた角度とする請求項１と２と３と４のいずれかに記載した楊枝ホルダーであるため、次の効果を奏する。
【００３４】
楊枝を食物中に差し込むと異なる侵入角を持って直進したそれぞれの楊枝の先端は、食物への当初差し込み口よりも食物内部において開いた状態になり、複数の楊枝の先端どうしは、押さえ部及び楊枝の持つ弾力により元の位置関係に復元しようとして食物を強く挟み込み、摩擦抵抗を強める。以上により楊枝ホルダーに保持された楊枝は食物に対する強い保持力を発揮する。
【００３５】
楊枝ホルダーの複数個と、複数本の楊枝とを組み合わせて一つに包装し、組み物とした楊枝ホルダーセットであるため、次の効果を奏する。
【００３６】
使用する人数分の楊枝ホルダーに、使用する対象物である食物の性質を考慮して本数を決定した複数の楊枝を装着して使用するのに都合がよい。様々な堅さ加減やもろさの加減あるいは滑りやすさなど様々な条件下で、それぞれの状況に対応する必要な本数の楊枝を保持して使用に供するに、セットになっていることでその都度対応でき、使い勝手もよく、重宝に使うことができる。
【図面の簡単な説明】
【図１】実施例１の斜視図である。
【図２】実施例２の斜視図である。
【図３】実施例３の斜視図である。
【図４】実施例４の斜視図である。
【図５】実施例５の斜視図である。
【図６】実施例６の斜視図である。
【図７】実施例７の斜視図である。
【図８】実施例８の斜視図である。
【符号の説明】
１  楊枝ホルダー
１１  つまみ部
１２  保持部
１３  板状体
１４  切断部
２  溝
２１  挿入穴
３  押さえ部
３１  筒状の押さえ部
３２  筒状体
４  加圧手段
５  頭固定部
５１  突起物による頭固定部
６  楊枝
７  割れ目
８  容器
８１  しきり
【図１】
0003624380.tif 000002
【図２】
0003624380.tif 000003
【図３】
0003624380.tif 000004
【図４】
0003624380.tif 000005
【図５】
0003624380.tif 000006
【図６】
0003624380.tif 000007
【図７】
0003624380.tif 000008
【図８】
0003624380.tif 000009